(57)【要約】【課題】聞きたくない不必要な音等は聞こえなくすると共に近くから発せられる聞きたい音等は聞くことができる孔あき耳栓を提供する。【解決手段】本発明の孔あき耳栓１０は耳栓本体１２と貫通孔補強管１４と貫通孔閉塞体１６とから構成されている。耳栓本体１２には挿入部２０が形成されてている。この挿入部２０には連続して拡径部２２が形成されている。前記耳栓本体１２には貫通孔２４が形成されている。貫通孔２４には前記貫通孔補強管１４が嵌入されている。貫通孔補強管１４には前記貫通孔閉塞体１６の閉塞ピン部２６を挿入できるようになっている。前記貫通孔閉塞体１６には閉塞ピン部２６と連続してプレート部２８が一体形成されている。このプレート部２８にはデザイン画等が印刷されたシール３０が貼付されている。【選択図】図１
2009172270.tif 000002
【特許請求の範囲】
【請求項１】
耳の穴に挿入される耳栓本体と、この耳栓本体の長手方向に向って穿設された貫通孔と、この貫通孔に挿入可能な貫通孔閉塞体と、を有してなることを特徴とする孔あき耳栓。
【請求項２】
耳の穴に挿入される耳栓本体と、この耳栓本体に形成されると共に耳の穴に直接挿入される挿入部と、前記耳栓本体に前記挿入部と連続形成されると共に前記挿入部よりも大径に形成された拡径部と、前記耳栓本体に耳栓本体の長手方向に向って穿設された貫通孔と、この貫通孔に挿入可能な貫通孔閉塞体と、を有してなることを特徴とする孔あき耳栓。
【請求項３】
耳の穴に挿入される耳栓本体と、この耳栓本体に形成されると共に耳の穴に直接挿入される挿入部と、前記耳栓本体に前記挿入部と連続形成されると共に前記挿入部よりも大径に形成された拡径部と、前記耳栓本体の中央部に耳栓本体の長手方向に向って穿設された貫通孔と、この貫通孔に挿入可能な閉塞ピン部を形成した貫通孔閉塞体と、この貫通孔閉塞体に閉塞ピン部と連続して形成されたプレート部と、を有してなることを特徴とする孔あき耳栓。
【請求項４】
耳の穴に挿入される耳栓本体と、この耳栓本体の長手方向に向って穿設された貫通孔と、この貫通孔に嵌入された貫通孔補強管と、この貫通孔補強管に挿入可能な貫通孔閉塞体と、を有してなることを特徴とする孔あき耳栓。
【請求項５】
耳の穴に挿入される耳栓本体と、この耳栓本体に形成されると共に耳の穴に直接挿入される挿入部と、前記耳栓本体に前記挿入部と連続形成されると共に前記挿入部よりも大径に形成された拡径部と、前記耳栓本体に耳栓本体の長手方向に向って穿設された貫通孔と、この貫通孔に嵌入された貫通孔補強管と、この貫通孔補強管に挿入可能な貫通孔閉塞体と、を有してなることを特徴とする孔あき耳栓。
【請求項６】
耳の穴に挿入される耳栓本体と、この耳栓本体に形成されると共に耳の穴に直接挿入される挿入部と、前記耳栓本体に前記挿入部と連続形成されると共に前記挿入部よりも大径に形成された拡径部と、前記耳栓本体の中央部に耳栓本体の長手方向に向って穿設された貫通孔と、この貫通孔に嵌入された貫通孔補強管と、この貫通孔補強管に挿入可能な閉塞ピン部を形成した貫通孔閉塞体と、この貫通孔閉塞体に閉塞ピン部と連続して形成されたプレート部と、を有してなることを特徴とする孔あき耳栓。
【発明の詳細な説明】
【技術分野】
【０００１】
本発明は、耳栓に関し、詳しくは周囲の雑音等は聞こえ難くすることができると共に近くから発せられる音等は聞き取ることができる孔あき耳栓に関する。
【背景技術】
【０００２】
周囲の雑音等のように不必要な音を聞こえなくする商品として耳栓が従来から広く知られている。
しかし、従来の耳栓は耳の穴を完全に塞いで全ての音を聞き取れないようにすることを目的としている。
このため、従来の耳栓を使用すると聞きたい音等も聞き取ることができないという不具合がある。
そこで、雑音等のように不必要な音を聞き取り難くすると共に聞き取りたい必要な音を聞き取ることができるようにした耳栓が提案されている（特許文献１）。
しかし、この耳栓は耳栓自体に耳栓を貫通する貫通孔は形成されていないため、聞き取りたい音等も聞こえ難いという不具合がある。
【特許文献１】特開平６−３４３６５９
【発明の開示】
【発明が解決しようとする課題】
【０００３】
本発明は、上記事実に鑑みなされたものであり、聞きたくない不必要な音等は聞き取れないようにすると共に近くから発せられる聞きたい音等は聞き取ることができる孔あき耳栓を提供するものである。
【課題を解決するための手段】
【０００４】
請求項１の発明は、耳の穴に挿入される耳栓本体と、この耳栓本体の長手方向に向って穿設された貫通孔と、この貫通孔に挿入可能な貫通孔閉塞体と、を有してなることを特徴としている。
請求項２の発明は、耳の穴に挿入される耳栓本体と、この耳栓本体に形成されると共に耳の穴に直接挿入される挿入部と、前記耳栓本体に前記挿入部と連続形成されると共に前記挿入部よりも大径に形成された拡径部と、前記耳栓本体に耳栓本体の長手方向に向って穿設された貫通孔と、この貫通孔に挿入可能な貫通孔閉塞体と、を有してなることを特徴としている。
請求項３の発明は、耳の穴に挿入される耳栓本体と、この耳栓本体に形成されると共に耳の穴に直接挿入される挿入部と、前記耳栓本体に前記挿入部と連続形成されると共に前記挿入部よりも大径に形成された拡径部と、前記耳栓本体の中央部に耳栓本体の長手方向に向って穿設された貫通孔と、この貫通孔に挿入可能な閉塞ピン部を形成した貫通孔閉塞体と、この貫通孔閉塞体に閉塞ピン部と連続して形成されたプレート部と、を有してなることを特徴としている。
請求項４の発明は、耳の穴に挿入される耳栓本体と、この耳栓本体の長手方向に向って穿設された貫通孔と、この貫通孔に嵌入された貫通孔補強管と、この貫通孔補強管に挿入可能な貫通孔閉塞体と、を有してなることを特徴としている。
請求項５の発明は、耳の穴に挿入される耳栓本体と、この耳栓本体に形成されると共に耳の穴に直接挿入される挿入部と、前記耳栓本体に前記挿入部と連続形成されると共に前記挿入部よりも大径に形成された拡径部と、前記耳栓本体に耳栓本体の長手方向に向って穿設された貫通孔と、この貫通孔に嵌入された貫通孔補強管と、この貫通孔補強管に挿入可能な貫通孔閉塞体と、を有してなることを特徴としている。
請求項６の発明は、耳の穴に挿入される耳栓本体と、この耳栓本体に形成されると共に耳の穴に直接挿入される挿入部と、前記耳栓本体に前記挿入部と連続形成されると共に前記挿入部よりも大径に形成された拡径部と、前記耳栓本体の中央部に耳栓本体の長手方向に向って穿設された貫通孔と、この貫通孔に嵌入された貫通孔補強管と、この貫通孔補強管に挿入可能な閉塞ピン部を形成した貫通孔閉塞体と、この貫通孔閉塞体に閉塞ピン部と連続して形成されたプレート部と、を有してなることを特徴としている。
【発明の効果】
【０００５】
本発明は、周囲の雑音等のような聞きたくない音を聞こえなくすることができると共に近くから発せられる聞きたい音等は聞き取ることができるという優れた効果を有する。
また、本発明は、貫通孔閉塞体を使用することにより耳の穴を完全に塞いで全ての音を聞こえなくすることもできるという優れた効果を有する。
さらに、請求項３、請求項６の本発明は、上記優れた効果の他に孔あき耳栓のプレート部に表示されているキャッフレーズあるいはキャラクター等を宣伝、アピールすることができるという優れた効果を有する。
【発明を実施するための最良の形態】
【０００６】
発明を実施するために最良の形態の例として以下のような実施例を示す。
【実施例１】
【０００７】
図１〜図３には本発明に係わる孔あき耳栓の第１実施例が示されている。
図１に示されるように、本発明の孔あき耳栓１０は耳栓本体１２と貫通孔補強管１４と貫通孔閉塞体１６とから構成されている。
この耳栓本体１２は耳の穴に直接挿入される部材であり、合成樹脂材で弾性体である軟らかいウレタンフォームによって一体成形されている。これにより耳栓本体１２を耳の穴に挿入する場合に感触がソフトタッチでしかも密着して挿入できるようになっている。
前記耳栓本体１２には耳の穴に直接挿入される挿入部２０が円柱状に形成されて、耳の穴に挿入し易いようになっている。
この挿入部２０には連続して挿入部２０よりも大径の拡径部２２が形成されている。この拡径部２２を形成することにより耳栓本体１２を指で摘み易くなっている。
前記耳栓本体１２の中心部には耳栓本体１２の長手方向（図２、図３左右方向）に沿って貫通孔２４が貫通形成されている。なお、この実施例ではこの貫通孔２４の内径寸法は２ｍｍに設定されている。
図２に示されるように、前記貫通孔２４には前記貫通孔補強管１４が嵌入されている。この貫通孔補強管１４はウレタンフォームよりも硬い合成樹脂材で肉厚の薄い円筒状に形成されている。前記貫通孔補強管１４を貫通孔２４に嵌入することにより前記耳栓本体１２を軟らかいウレタンフォームで形成しても耳栓本体１２を耳の穴に挿入する場合に前記貫通孔２４が潰れて閉じないようになっている。
前記貫通孔補強管１４には前記貫通孔２４を完全に閉塞する前記貫通孔閉塞体１６の閉塞ピン部２６を密着状態で挿入できるようになっている。この実施例ではこの閉塞ピン部２６もウレタンフォームよりも硬い合成樹脂材で形成されている。また、前記閉塞ピン部２６の直径寸法は前記貫通孔補強管１４に密着して挿入できる寸法に設定されている。従って、前記閉塞ピン部２６を前記貫通孔補強管１４に密着状態で容易に挿入することにより貫通孔２４を完全に閉塞できるようになっている。
図１に示されるように、前記貫通孔閉塞体１６には前記閉塞ピン部２６と連続して円板状のプレート部２８が一体形成されている。このプレート部２８の側面にはデザイン画あるいはメッセージを込めたキャッフレーズあるいはキャラクター等（図示せず）を印刷した円形のシール３０が貼付されている。
【０００８】
次に、第１実施例の孔あき耳栓１０の作用について説明する。
第１実施例の孔あき耳栓１０を使用して周囲のうるさい雑音等は聞こえなくしたいが、近くの人と会話したい場合は、耳栓本体１２から貫通孔閉塞体１６を取り外した状態で、耳栓本体１２の挿入部２０を耳の穴に挿入する。なお、耳栓本体１２は軟らかいウレタンフォームで形成されているので挿入時の感触がソフトタッチでしかも密着して挿入することができる。
これにより、耳栓本体１２を耳の穴に挿入すると耳の穴の大部分は耳栓本体１２によって塞がれるが、耳栓本体１２には貫通孔２４が貫通形成されているので耳の穴は完全に塞がらない。
従って、耳の穴の大部分は耳栓本体１２に塞がれるため周囲の雑音等は聞こえ難くすることができるが、近くに居る話し相手の声は耳栓本体１２の貫通孔２４を通して聞こえるので近くに居る人とは会話をすることができる。
また、周囲の雑音等をはじめとして音をできるだけ聞こえないようにしたい場合は、貫通孔補強管１４に貫通孔閉塞体１６の閉塞ピン部２６を挿入して（図２に示す状態）、孔あき耳栓１０の耳栓本体１２を耳の穴に挿入する。
すると、耳の穴に挿入された耳栓本体１２の貫通孔２４は貫通孔閉塞体１６によって完全に塞がれるので全ての音を聞こえなくすることができる。
従って、本発明の孔あき耳栓１０は周囲の騒音等はできるだけ聞こえなくして近くの聞きたい音等を聞くことができると共に貫通孔閉塞体１６を使用することにより簡単に全ての音を聞こえないようにすることもできる。
なお、孔あき耳栓１０（耳栓本体１２）を耳の穴から取り外す場合は、拡径されて掴み易い前記拡径部２２を摘んで引っ張れば容易に孔あき耳栓１０（耳栓本体１２）を耳の穴から取り外すことができる。
また、前記貫通孔閉塞体１６のプレート部２８にはデザイン画あるいはメッセージを込めたキャッフレーズあるいはキャラクター等が印刷されたシール３０が貼付されているので、孔あき耳栓１０の外観品質を向上させたり、あるいはシール３０を見た人に対してキャッフレーズやキャラクター等を宣伝したりアピールすることができる。
なお、本発明の孔あき耳栓１０を航空機に乗る場合に貫通孔閉塞体１６を取り外した状態で使用すると、航空機の離着時に生じ易い気圧変化に対して耳内を順応させることができ、離着時に耳内で生じる不快感を抑えることができる。
さらに、実施例の孔あき耳栓１０は一体形成された耳栓本体１２と貫通孔補強管１４と貫通孔閉塞体１６とから構成されているので、構造がシンプルであり、製造価格、販売価格を抑えて孔あき耳栓１０を提供することができる。
【０００９】
図４には本発明に係わる孔あき耳栓の第２実施例が示されている。なお、第１実施例の孔あき耳栓１０と同一の構成は同一の符号を用いてその説明は省略する。
図４に示されるように、第２実施例の孔あき耳栓４０は耳栓本体４２と貫通孔閉塞体１６とから構成されている。
この耳栓本体４２は第１実施例の孔あき耳栓１０の耳栓本体１２よりも硬いウレタンフォームで一体形成されている。このため第１実施例の孔あき耳栓１０のように貫通孔補強管１４を使用しなくても孔あき耳栓４０の耳栓本体４２の挿入部４４を耳の穴に挿入しても耳栓本体４２の貫通孔２４が潰れないようになっている。
なお、耳栓本体４２の拡径部４６は突出部を反対側にそれぞれ設けることにより拡径部４６が形成されている。
前記耳栓本体４２に貫通形成された貫通孔２４には貫通孔閉塞体１６の閉塞ピン部２６が直接挿入されるようになっている。
従って、第２実施例の孔あき耳栓４０は第１実施例の孔あき耳栓１０に比べて貫通孔補強管１４が不要であるので、部品点数を少なくすることができると共に製造価格、販売価格をより抑えて提供することができる。
なお、他の構成、作用、効果は第１実施例の孔あき耳栓１０と同一であるので、その説明は省略する。
【００１０】
なお、実施例では前記プレート部２８の側面にデザイン画あるいはメッセージを込めたキャッフレーズあるいはキャラクター等（図示せず）の適宜絵や文字を印刷した円形のシール３０が貼付した場合を示したが、前記プレート部２８の側面に前記デザイン画あるいはメッセージを込めたキャッフレーズあるいはキャラクター等を直接印刷してもよいことは勿論である。
【００１１】
なお、実施例では孔あき耳栓１０，４０を合成樹脂材であるウレタンフォームで形成した場合を示したが、孔あき耳栓１０，４０は合成樹脂材以外で形成してもよいことは勿論である。
また、実施例では前記貫通孔２４の内径寸法を２ｍｍに設定したが、貫通孔２４の内径寸法は２ｍｍ以上でも２ｍｍ以下でもよく、必ずしも２ｍｍに限定されるものでないことは勿論である。
なお、実施例ではプレート２８を円板状に形成したが、プレート２８の形状は円板状に限定されるものでないことは勿論である。
【図面の簡単な説明】
【００１２】
【図１】第１実施例の孔あき耳栓の分解斜視図である。
【図２】第１実施例の孔あき耳栓の使用状態を示す断面図である。
【図３】第１実施例の孔あき耳栓の使用状態を示す断面図である。
【図４】第２実施例の孔あき耳栓の分解斜視図である。
【符号の説明】
【００１３】
１０    孔あき耳栓
１２    耳栓本体
１４    貫通孔補強管
１６    貫通孔閉塞体
２０    挿入部
２２    拡径部
２４    貫通孔
２６    閉塞ピン部
２８    プレート部
３０    シール
【図１】
2009172270.tif 000003
【図２】
2009172270.tif 000004
【図３】
2009172270.tif 000005
【図４】
2009172270.tif 000006